Podtech/llm-jp-corpus-v4-ja_patent huggingface dataset:
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】 
反応容器内で、アルカリ金属と少なくともＩＩＩ族金属を含む物質とが混合融液を形成し、該混合融液と少なくとも窒素を含む物質とから、ＩＩＩ族金属と窒素とから構成されるＩＩＩ族窒化物を結晶成長させるＩＩＩ族窒化物結晶成長方法であって、前記混合融液が保持されている混合融液保持容器とは別に、少なくともＩＩＩ族金属を含む物質を収容している容器が設けられており、反応容器内の圧力と少なくともIII族金属を含む物質を収容している容器の圧力とが同一であり、少なくともＩＩＩ族金属を含む物質の自重により、反応容器外部から反応容器内部に少なくともＩＩＩ族金属を含む物質を送り込むことを特徴とするＩＩＩ族窒化物結晶成長方法。
【請求項２】 
請求項１記載のＩＩＩ族窒化物結晶成長方法において、少なくともＩＩＩ族金属を含む物質の質量と、少なくともＩＩＩ族金属を含む物質を混合融液保持容器に送り込む部位の摩擦量との関係から、アルカリ金属と少なくともＩＩＩ族金属を含む物質とからなる混合融液の高さと、混合融液保持容器とは別の容器内に収容されている少なくともＩＩＩ族金属を含む物質の高さとの相対的な高さ位置関係を制御し、所望量の少なくともＩＩＩ族金属を含む物質を混合融液保持容器に送り込むことを特徴とするＩＩＩ族窒化物結晶成長方法。
【請求項３】 
請求項１または請求項２記載のＩＩＩ族窒化物結晶成長方法において、少なくともＩＩＩ族金属を含む物質を収容している容器中の該物質の量を観察しながら、該物質を混合融液保持容器に送り込むことを特徴とするＩＩＩ族窒化物結晶成長方法。
【請求項４】
請求項１乃至請求項３のいずれか一項に記載のIII族窒化物結晶成長方法において、少なくともＩＩＩ族金属を含む物質が液体であることを特徴とIII族窒化物結晶成長方法。
【請求項５】
請求項４記載のＩＩＩ族窒化物結晶成長方法において、少なくともＩＩＩ族金属を含む物質が、液体の金属Ｇａ（ガリウム）であることを特徴とするＩＩＩ族窒化物結晶成長方法。
【請求項６】
反応容器内で、アルカリ金属と少なくともＩＩＩ族金属を含む物質とが混合融液を形成し、該混合融液と少なくとも窒素を含む物質とから、ＩＩＩ族金属と窒素とから構成されるＩＩＩ族窒化物を結晶成長させるＩＩＩ族窒化物結晶成長装置であって、前記混合融液が保持されている混合融液保持容器とは別に、少なくともＩＩＩ族金属を含む物質を収容している容器が反応容器外に設けられており、これら２つの容器は、反応容器内の圧力と少なくともＩＩＩ族金属を含む物質を収容している容器の圧力とが同一となるように圧力調整管によって連通しており、また、少なくともＩＩＩ族金属を含む物質を混合融液保持容器内に送り込むために供給管によって連通しており、また、少なくともＩＩＩ族金属を含む物質と混合融液保持容器に保持されている混合融液との相対的高さを制御する機構が設けられていることを特徴とするＩＩＩ族窒化物結晶成長装置。
【請求項７】
請求項６記載のＩＩＩ族窒化物結晶成長装置において、少なくともＩＩＩ族金属を含む物質を収容している容器中の、少なくともＩＩＩ族金属を含む物質の量を観察する機構が、該容器に設けられていることを特徴とするＩＩＩ族窒化物結晶成長装置。
【請求項８】 
請求項７記載のＩＩＩ族窒化物結晶成長装置において、少なくともＩＩＩ族金属を含む物質を収容している容器の少なくとも一部が、可視光に対して透明な材質により形成されていることを特徴とするＩＩＩ族窒化物結晶成長装置。
【請求項９】 
請求項７記載のＩＩＩ族窒化物結晶成長装置において、少なくともＩＩＩ族金属を含む物質を収容している容器に、超音波を受発信する機構が設けられていることを特徴とするＩＩＩ族窒化物結晶成長装置。
【請求項１０】 
請求項７記載のＩＩＩ族窒化物結晶成長装置において、少なくともＩＩＩ族金属を含む物質を収容している容器に、少なくともＩＩＩ族金属を含む物質の量を電気的にモニターする機構が設けられていることを特徴とするＩＩＩ族窒化物結晶成長装置。
【請求項１１】
反応容器と、
前記反応容器内に配置され、ＩＩＩ族原料とアルカリ金属とを含む混合融液を保持する保持容器と、
少なくとも窒素を含む物質を前記反応容器に供給する供給手段と、
供給量を制御して前記ＩＩＩ族原料を前記保持容器に補給する第１の補給手段と、
前記少なくとも窒素を含む物質を前記反応容器に補給する第２の補給手段とを備える結晶製造装置。
【請求項１２】
前記第１の補給手段は、液体からなるＩＩＩ族原料を前記保持容器に補給する、請求項１１に記載の結晶製造装置。
【請求項１３】
前記第１の補給手段は、前記ＩＩＩ族原料の残量に基づいて前記ＩＩＩ族原料の送液量を制御して前記ＩＩＩ族原料を前記保持容器に補給する、請求項１２に記載の結晶製造装置。
【請求項１４】
前記第１の補給手段は、前記ＩＩＩ族原料を保持する原料保持容器を含み、
前記原料保持容器の内面は、ＩＩＩ族窒化物薄膜によって覆われている、請求項１１から請求項１３のいずれか１項に記載の結晶製造装置。
【手続補正書】
【提出日】平成18年2月8日(2006.2.8)
【手続補正１】
【補正対象書類名】明細書
【補正対象項目名】特許請求の範囲
【補正方法】変更
【補正の内容】
【特許請求の範囲】
【請求項１】  ディスペンサ洗浄樽に取り付けて使用する安全弁付きガス抜きバルブにおいて、
一端が前記洗浄樽に接続されるようになっていて、貫通する穴及び前記穴内に形成された第１の弁座を有するバルブ本体と、
前記バルブ本体の他端に取り付けられた押さえ部材と、
前記バルブ本体の穴内に移動可能に配置されていて前記第１の弁座と協働して前記バルブ本体との間に形成された第１の流体通路を開閉する筒状の弁体と、
前記弁体内に相対的に移動可能に配置され、前記弁体に形成された第２の弁座と協働して前記弁体との間に形成された第２の流体通路を開閉するスピンドルと、
前記弁体を前記第１の弁座と協働して前記第１の流体通路を閉じるように押圧するばねと、
を備えた安全弁付きガス抜きバルブ。
【請求項２】  請求項１に記載の安全弁付きガス抜きバルブにおいて、
前記弁体の外周に設けられていて、前記第１の弁座と前記弁体とに密封係合するシール部材を備える安全弁付きガス抜きバルブ。
【請求項３】  請求項１に記載の安全弁付きガス抜きバルブにおいて、
前記弁体が合成樹脂材で形成され、前記弁体には前記第１の弁座と密封係合するテーパー面が形成されている安全弁付きガス抜きバルブ。
【請求項４】  請求項１ないし３のいずれかに記載の安全弁付きガス抜きバルブにおいて、
前記ばねが前記弁体と前記スピンドルに取り付けられたばね受けとの間に配置され、
前記ばね受けの外周が前記押さえ部材の内周に形成された肩部と係合可能になっている安全弁付きガス抜きバルブ。
【請求項５】  請求項１ないし３のいずれかに記載の安全弁付きガス抜きバルブにおいて、
前記ばねが前記弁部材と前記スピンドルとの間に配置され、
前記スピンドルのばね受け部の外周が他の部分より半径方向外側に突出して前記押さえ部材の内周に形成された肩部と係合可能になっている安全弁付きガス抜きバルブ。
【請求項６】  請求項１ないし５のいずれかに記載の安全弁付きガス抜きバルブにおいて、洗浄樽内の圧力が所望の圧力になったとき弁体及びスピンドルが一体となってバルブ本体に対して相対的に移動するようになっている安全弁付きガス抜きバルブ。
【請求項７】  請求項１ないし６のいずれかに記載の安全弁付きガス抜きバルブにおいて、前記スピンドルに、前記弁体に形成された第２の弁座に弾圧されるＯリングシールが取り付けられている安全弁付きガス抜きバルブ。
【請求項８】  貫通する穴及び前記穴内に形成された第１の弁座を有するバルブ本体と、
前記バルブ本体の端部に取り付けられた押さえ部材と、
前記バルブ本体の穴内に移動可能に配置されていて前記第１の弁座と協働して前記バルブ本体との間に形成された第１の流体通路を開閉する筒状の弁体と、
前記弁体内に相対的に移動可能に配置され、前記弁体との間に形成された第２の流体通路の開閉を行うスピンドルと、
前記弁体を、前記第１の流体通路を閉じるように押圧するばねと、
を備えたディスペンサ洗浄樽用の安全弁付きガス抜きバルブ。
【請求項９】  請求項８に記載の安全弁付きガス抜きバルブにおいて、洗浄樽内の圧力が所望の圧力になったとき弁体及びスピンドルが一体となってバルブ本体に対して相対的に移動するようになっている安全弁付きガス抜きバルブ。
【請求項１０】  請求項８又は９に記載の安全弁付きガス抜きバルブにおいて、前記スピンドルに、前記弁体に形成された第２の弁座に弾圧されるＯリングシールが取り付けられている安全弁付きガス抜きバルブ。
【手続補正２】
【補正対象書類名】明細書
【補正対象項目名】０００６
【補正方法】変更
【補正の内容】
【０００６】
【課題を解決するための手段】
本願の発明は、ディスペンサ洗浄樽に取り付けて使用する安全弁付きガス抜きバルブにおいて、一端が前記洗浄樽に接続されるようになっていて、貫通する穴及び前記穴内に形成された第１の弁座を有するバルブ本体と、前記バルブ本体の他端に取り付けられた押さえ部材と、前記バルブ本体の穴内に移動可能に配置されていて前記第１の弁座と協働して前記バルブ本体との間に形成された第１の流体通路を開閉する筒状の弁体と、前記弁体内に相対的に移動可能に配置され、前記弁体に形成された第２の弁座と協働して前記弁体との間に形成された第２の流体通路を開閉するスピンドルと、前記弁体を前記第１の弁座と協働して前記第１の流体通路を閉じるように押圧するばねと、を備えて構成されている。
これにより、洗浄樽の外部からスピンドルを押した時に内部のガスを逃がすことに加えて、洗浄樽内の圧力が所定以上になったときに自動的にそのガスを外部に逃がすことが可能になる。また、コンパクトな構造で安全弁として確実な動作が可能となる。
また、上記記載の安全弁付きガス抜きバルブにおいて、前記弁体の外周に設けられていて、前記第１の弁座と前記弁体とに密封係合するシール部材を備えていても、或いは、前記弁体が合成樹脂材で形成され、前記弁体には前記第１の弁座と密封係合するテーパー面が形成されていてもよい。これにより、コンパクトな構造を保ちつつ、前記第１の弁座と前記弁体とを確実にシールし、洗浄樽内の圧力が所定未満の場合のガスの外部への漏れを防止できる。
更に、前記安全弁付きガス抜きバルブにおいて、前記ばねが前記弁体と前記スピンドルに取り付けられたばね受けとの間に配置され、前記ばね受けの外周が前記押さえ部材の内周に形成された肩部と係合可能になっていてもよく、或いは、  前記ばねが前記弁体と前記スピンドルとの間に配置され、前記スピンドルのばね受け部の外周が他の部分より半径方向外側に突出して前記押さえ部材の内周に形成された肩部と係合可能になっていてもよい。これにより、部品数を多くすることなくばねを押圧状態に押さえることができ、安全弁付きガス抜きバルブを更にコンパクトにすることが可能となる。
更にまた、上記安全弁付きガス抜きバルブにおいて、洗浄樽内の圧力が所望の圧力になったとき弁体及びスピンドルが一体となってバルブ本体に対して相対的に移動するようになっていてもよく、また、前記スピンドルに、前記弁体に形成された第２の弁座に弾圧されるＯリングシールが取り付けられていてもよい。
【手続補正３】
【補正対象書類名】明細書
【補正対象項目名】０００７
【補正方法】変更
【補正の内容】
【０００７】
本願の他の発明によるディスペンサ洗浄樽用の安全弁付きガス抜きバルブは、貫通する穴及び前記穴内に形成された第１の弁座を有するバルブ本体と、前記バルブ本体の端部に取り付けられた押さえ部材と、前記バルブ本体の穴内に移動可能に配置されていて前記第１の弁座と協働して前記バルブ本体との間に形成された第１の流体通路を開閉する筒状の弁体と、前記弁体内に相対的に移動可能に配置され、前記弁体との間に形成された第２の流体通路の開閉を行うスピンドルと、前記弁体を、前記第１の流体通路を閉じるように押圧するばねと、を備えて構成されている。
上記安全弁付きガス抜きバルブにおいて、洗浄樽内の圧力が所望の圧力になったとき弁体及びスピンドルが一体となってバルブ本体に対して相対的に移動するようになっていてもよく、また、前記スピンドルに、前記弁体に形成された第２の弁座に弾圧されるＯリングシールが取り付けられていてもよい。
【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
結像倍率が１より大きい対物光学系と撮像素子を備えた拡大ビデオモジュールのピント位置調整方法において、
前記対物光学系の物体側先端面を基準とした所定の距離に被写体の位置を固定するステップと、
撮像素子を移動させて被写体の画像が所望のコントラストとなる該撮像素子の２つの位置を検出するステップと、
前記検出した２つの位置から被写体の画像のコントラストが最大となる撮像素子の位置を求めるステップと、
を含むことを特徴とするピント位置調整方法。
【請求項２】
結像倍率が１より大きい対物光学系と撮像素子を備えた拡大ビデオモジュールのピント位置調整装置において、
前記対物光学系の物体側先端面を基準とした所定の距離に被写体の位置を固定する手段と、
撮像素子を移動させて被写体の画像が所望のコントラストとなる該撮像素子の２つの位置を検出する手段と、
前記検出した２つの位置から被写体の画像のコントラストが最大となる撮像素子の位置を求める手段と、
を含むことを特徴とするピント位置調整装置。
【請求項３】
結像倍率が１より大きい対物光学系を備えた拡大ビデオモジュールにおいて、
前記対物光学系が、物体側から順に、正の焦点距離を有する前群と、明るさ絞りを含んで構成され、
次の条件式を満足することを特徴とする拡大ビデオモジュール。
０．９≦|ｃｏｓｗｙ’／ｃｏｓｗｙ|≦１．１
０．２≦φ１／φ２／ｆ１≦２
但し、ｗｙ’は拡大ビデオモジュールにおける最大視野角に対応する主光線の撮像面への入射角度、ｗｙは半視野角、φ１は前記明るさ絞りの開口径、φ２は前記対物光学系の最大外径、ｆ１は前記前群の焦点距離である。
【請求項４】
結像倍率が１より大きい対物光学系と撮像素子を備えた拡大ビデオモジュールにおいて、
次の条件式を満足することを特徴とする拡大ビデオモジュール。
０．１≦｜ｐ×（ＮＡ）2／（０．６１×λ×βo）｜≦０．８
但し、ｐは拡大ビデオモジュールに備わる撮像素子のピクセルサイズ、ＮＡは対物光学系の物体側開口数、λはｅライン波長0.546[μm]、βoは前記対物光学系の倍率である。
【請求項５】
結像倍率が１より大きい対物光学系と撮像素子を備えた拡大ビデオモジュールのピント範囲確認方法において、
被写体を前記対物光学系の物体側先端面に接触させるステップと、
所定のコントラストとなるように該被写体の位置を対物光学系の光軸方向に移動させるステップと、
所定のコントラストとなる該被写体の位置を検出するステップと、
を含むことを特徴とするピント範囲確認方法。
【請求項６】
結像倍率が１より大きい対物光学系と撮像素子を備えた拡大ビデオモジュールのピント範囲確認装置において、
被写体を前記対物光学系の物体側先端面に接触させる手段と、
所定のコントラストとなるように該被写体の位置を対物光学系の光軸方向に移動させる手段と、
所定のコントラストとなる該被写体の位置を検出する手段と、
を備えたことを特徴とするピント範囲確認装置。
【請求項７】
結像倍率が１より大きい対物光学系と撮像素子を備えた拡大ビデオモジュールにおいて、
請求項１に記載の方法を用いてピント位置が調整されていることを特徴とする拡大ビデオモジュール。
【手続補正２】
【補正対象書類名】明細書
【補正対象項目名】００１８
【補正方法】変更
【補正の内容】
【００１８】
上記目的を達成するため、本発明による拡大ビデオモジュールのピント位置調整方法は、結像倍率が１より大きい対物光学系と撮像素子を備えた拡大ビデオモジュールのピント位置調整方法において、前記対物光学系の物体側先端面を基準とした所定の距離に被写体の位置を固定するステップと、撮像素子を移動させて被写体の画像が所望のコントラストとなる該撮像素子の２つの位置を検出するステップと、前記検出した２つの位置から被写体の画像のコントラストが最大となる撮像素子の位置を求めるステップと、を含むことを特徴としている。
【手続補正３】
【補正対象書類名】明細書
【補正対象項目名】００１９
【補正方法】変更
【補正の内容】
【００１９】
また、本発明による拡大ビデオモジュールのピント位置調整装置は、結像倍率が１より大きい対物光学系と撮像素子を備えた拡大ビデオモジュールのピント位置調整装置において、前記対物光学系の物体側先端面を基準とした所定の距離に被写体の位置を固定する手段と、撮像素子を移動させて被写体の画像が所望のコントラストとなる該撮像素子の２つの位置を検出する手段と、前記検出した２つの位置から被写体の画像のコントラストが最大となる撮像素子の位置を求める手段と、を含むことを特徴としている。
【手続補正４】
【補正対象書類名】明細書
【補正対象項目名】００２０
【補正方法】変更
【補正の内容】
【００２０】
また、本発明による拡大ビデオモジュールは、結像倍率が１より大きい対物光学系を備えた拡大ビデオモジュールにおいて、前記対物光学系が、物体側から順に、正の焦点距離を有する前群と、明るさ絞りを含んで構成され、次の条件式(1)，(2)を満足することを特徴としている。
０．９≦|ｃｏｓｗｙ’／ｃｏｓｗｙ|≦１．１              …(1)
０．２≦φ１／φ２／ｆ１≦２                            …(2)
但し、ｗｙ’は拡大ビデオモジュールにおける最大視野角に対応する主光線の撮像面への入射角度、ｗｙは半視野角、φ１は前記明るさ絞りの開口径、φ２は前記対物光学系の最大外径、ｆ１は前記前群の焦点距離である。
【手続補正５】
【補正対象書類名】明細書
【補正対象項目名】００２１
【補正方法】変更
【補正の内容】
【００２１】
また、本発明による拡大ビデオモジュールは、結像倍率が１より大きい対物光学系と撮像素子を備えた拡大ビデオモジュールにおいて、次の条件式(3)を満足することを特徴としている。
０．１≦｜ｐ×（ＮＡ）2／（０．６１×λ×βo）｜≦０．８          …(3)
但し、ｐは拡大ビデオモジュールに備わる撮像素子のピクセルサイズ、ＮＡは対物光学系の物体側開口数、λはｅライン波長0.546[μm]、βoは前記対物光学系の倍率である。
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
少なくとも、汚物処理槽と、汚物処理槽内に収納した微生物を含有した醗酵層と、汚物処理槽内にエアを供給するコンプレッサーと、コンプレッサーよりのエアを汚物処理槽内に供給するエア供給手段と、エア供給手段と接続し汚物処理槽内の必要個所に向けエアを噴射させるエア噴射手段とを設けたことを特徴とするバイオ処理装置。
【請求項２】
車両に、便器と、内部を密封する便器本体と、便器本体内又は近傍に位置し汚物を貯留する汚物処理槽と、一端を便器の排出口に接続し他端を汚物処理槽内に配置した排出管と、便器本体の内部空間を負圧にて排出管より汚物を吸収し汚物を汚物処理槽内に流下させると共に気体のみ上方に吸引する吸引機構と、便器の排出口より外気を吸い便器本体の内部空間から吸引機構を経て外方側へ内部気体を放出する排気扇とを備えたトイレと、汚物処理槽内に収納した微生物を含有した醗酵層と、汚物処理槽内にエアを供給するコンプレッサーと、コンプレッサーよりのエアを汚物処理槽内に供給するエア供給手段と、エア供給手段と接続し汚物処理槽内の必要個所に向けエアを噴射させるエア噴射手段とからなるバイオ処理装置とで構成し、汚物処理槽内に貯溜した汚物をバイオ処理したことを特徴とする汚物のバイオ処理装置。
【請求項３】
仮設トイレ室内に設けた便器と、仮設トイレ室内又は室外に設けた内部を密封する便器本体と、便器本体内又は外部に位置し汚物を貯留する汚物処理槽と、一端を便器の排出口に接続し他端を汚物処理槽内に配置した排出管と、便器本体の内部空間を負圧にして排出管より汚物を吸収し汚物を汚物処理槽内に流下させると共に気体のみ上方に吸引する吸引機構と、便器の排出口より外気を吸い便器本体の内部空間から吸引機構を経て外方側へ内部気体を放出する排気扇とを備えたトイレと、汚物処理槽内に収納した微生物を含有した醗酵層と、汚物処理槽内にエアを供給するコンプレッサーと、コンプレッサーよりのエアを汚物処理槽内に供給するエア供給手段と、エア供給手段と接続し汚物処理槽内の必要個所に向けエアを噴射させるエア噴射手段とからなるバイオ処理装置とで構成し、汚物処理槽内に貯溜した汚物をバイオ処理したことを特徴とする汚物のバイオ処理装置。
【請求項４】
車両に、便器と、内部を密封する便器本体と、便器本体内又は近傍に位置し汚物を貯溜する受け容器と、一端を便器の排出口に接続し他端を受け容器内に配置した排出管と、便器本体の内部空間を負圧にて排出管より汚物を吸収し汚物を受け容器内に流下させると共に気体のみ上方に吸引する吸引機構と、便器の排出口より外気を吸い便器本体の内部空間から吸引機構を経て外方側へ内部気体を放出する排気扇とを備えたトイレと、車両より離間し別位置に配置した汚物処理槽と、汚物処理槽内に収納した微生物を含有した醗酵層と、汚物処理槽内にエアを供給するコンプレッサーと、コンプレッサーよりのエアを汚物処理槽内に供給するエア供給手段と、エア供給手段と接続し汚物処理槽内の必要個所に向けエアを噴射させるエア噴射手段とからなるバイオ処理装置とで構成し、車両のトイレの受け容器に貯溜した汚物を、バキュームカー等にて移動しバイオ処理装置の汚物処理槽内に投入し、汚物をバイオ処理したことを特徴とする汚物のバイオ処理システム。
【請求項５】
仮設トイレ室内に設けた便器と、仮設トイレ室内又は室外に設けた内部を密封する便器本体と、便器本体内又は外部に位置し汚物を貯溜する受け容器と、一端を便器の排出口に接続し他端を受け容器内に配置した排出管と、便器本体の内部空間を負圧にて排出管より汚物を吸収し汚物を受け容器内に流下させると共に気体のみ上方に吸引する吸引機構と、便器の排出口より外気を吸い便器本体の内部空間から吸引機構を経て外方側へ内部気体を放出する排気扇とを備えたトイレと、仮設トイレより離間し別位置に配置した汚物処理槽と、汚物処理槽内に収納した微生物を含有した醗酵層と、汚物処理槽内にエアを供給するコンプレッサーと、コンプレッサーよりのエアを汚物処理槽内に供給するエア供給手段と、エア供給手段と接続し汚物処理槽内の必要個所に向けエアを噴射させるエア噴射手段とからなるバイオ処理装置とで構成し、仮設トイレの受け容器に貯溜した汚物を、バキュームカー等にて移動しバイオ処理装置の汚物処理槽内に投入し、汚物をバイオ処理したことを特徴とする汚物のバイオ処理システム。
【請求項６】
エア噴射手段を、汚物処理槽の底部に一段低く形成した汚物溜りと、汚物溜りの内側面に設け対向面側に集中的に噴射させる側面エアノズルと、底面で上方側に集中的に噴射させる噴上エアノズルとで構成したことを特徴とする請求項１乃至請求項５のいずれか記載の汚物のバイオ処理装置及びバイオ処理システム。
【請求項７】
エア噴射手段を、有底の中空状円筒で、且つ周面に多数のエア噴射孔を設けたエア噴射ポールで形成し、該エア噴射ポールを汚物処理槽内の醗酵層内に挿入し、エア噴射ポールのエア噴射孔からエアを噴射させたことを特徴とする請求項１乃至請求項５のいずれか記載の汚物のバイオ処理装置及びバイオ処理システム。
【請求項８】
エア噴射手段を、汚物処理槽の内部底面に横設し、回転軸を介して半円に回転可能に支持され対設した複数の中空状の回転体と、回転体の周面に長手方向に１列に配設した複数の噴射ノズルとで構成したことを特徴とする請求項１乃至請求項５のいずれか記載の汚物のバイオ処理装置及びバイオ処理システム。
【請求項９】
エア噴射孔は、エア噴射ポールの基部側は小径で、先端側は大径で徐々に変化させたことを特徴とする請求項７記載の汚物のバイオ処理装置及びバイオ処理システム。
【請求項１０】
エア噴射ポールのエア噴射孔は、ポール面の周面より突出したことを特徴とする請求項７記載の汚物のバイオ処理装置及びバイオ処理システム。
【手続補正書】
【提出日】平成18年4月12日(2006.4.12)
【手続補正１】
【補正対象書類名】明細書
【補正対象項目名】特許請求の範囲
【補正方法】変更
【補正の内容】
【特許請求の範囲】
【請求項１】  各種遊技部品が設けられた遊技機本体と、該遊技機本体の裏面側に取り付けられる複数の台座部材を有し、制御装置又はその他の部材が前記台座部材を介して前記遊技機本体に搭載される構成とした遊技機において、
前記遊技機本体及び前記台座部材の一側部には、前記遊技機本体に対して前記台座部材を回動可能に支持する支持機構を設け、該支持機構のうち前記遊技機本体に設けられる本体側支持機構部を、１の支持機構部材にて前記台座部材を複数回動可能に支持する構成としたことを特徴とする遊技機。
【請求項２】  遊技領域を形成する遊技盤を支持する本体枠と、前記遊技領域の前面側を覆うように且つ開閉可能に配置された前扉枠とを備え、前記本体枠及び前記前扉枠の一側部には、前記本体枠に対して前記前扉枠を開閉可能に支持する前扉支持機構を設け、前記本体枠は、裏面側に取り付けられる複数の台座部材を有し、制御装置又はその他の部材が前記台座部材を介して前記本体枠に搭載される構成とした遊技機において、
前記本体枠及び前記台座部材の一側部には、前記本体枠に対して前記台座部材を回動可能に支持する台座支持機構を設け、該台座支持機構のうち前記遊技機本体に設けられる本体側支持機構部を、１の支持機構部材にて前記台座部材を複数回動可能に支持する構成としたことを特徴とする遊技機。
【請求項３】  前記本体側支持機構部は、前記前扉支持機構と同じ一側部に設けられていることを特徴とする請求項２に記載の遊技機。
【請求項４】  前記本体側支持機構部に支持される前記台座部材は、回動可能に支持されるための構成を一側両端部に備え、且つ各台座部材により支持間隔が異なることを特徴とする請求項１乃至請求項３のいずれかに記載の遊技機。
【請求項５】  前記本体側支持機構部は、前記遊技機本体の平板部に取り付けられることを特徴とする請求項１乃至請求項４のいずれかに記載の遊技機。
【請求項６】  前記本体側支持機構部は、前記台座部材を同一方向へ回動可能に支持することを特徴とする請求項１乃至請求項５のいずれかに記載の遊技機。
【請求項７】  前記本体側支持機構部は、前記台座部材を同一軸線上に支持することを特徴とする請求項１乃至請求項６のいずれかに記載の遊技機。
【手続補正書】
【提出日】平成18年4月10日(2006.4.10)
【手続補正１】
【補正対象書類名】明細書
【補正対象項目名】特許請求の範囲
【補正方法】変更
【補正の内容】
【特許請求の範囲】
【請求項１】
内視鏡挿入部の先端に対して着脱可能に取り付けられ、前記先端に設けられた受光部に画像を結像させる光学系を備えた光学アダプタであり、
自らを識別するための情報または光学特性情報の少なくとも一方の情報が備えられていることを特徴とする光学アダプタ。
【請求項２】
先端に受光部を有する内視鏡挿入部と、前記先端に着脱可能に取り付けられ、前記受光部に対して画像を結像させる光学系を有する光学アダプタとを備えた内視鏡装置において、
前記光学アダプタが、この光学アダプタを識別するための情報または光学特性情報の少なくとも一方の情報を備え、
前記内視鏡挿入部の先端に、前記情報を取得する読み込み部が備えられていることを特徴とする内視鏡装置。
【請求項３】
本体と、該本体に接続されるとともに先端に受光部を有する内視鏡挿入部と、前記先端に着脱可能に取り付けられ、前記受光部に対して画像を結像させる光学系を有する光学アダプタとを備えた内視鏡装置において、
前記光学アダプタが、この光学アダプタを識別するための情報または光学特性情報の少なくとも一方の情報を備え、
前記本体が、前記光学アダプタから前記情報を取得する読み込み部を備えている
ことを特徴とする内視鏡装置。
【請求項４】
請求項２または請求項３に記載の内視鏡装置において、
前記光学アダプタから前記読み込み部への前記情報の読み込みが、無線通信を介して行われることを特徴とする内視鏡装置。
【請求項５】
請求項２または請求項３に記載の内視鏡装置において、
前記光学アダプタから前記読み込み部への前記情報の読み込みが、前記光学アダプタ側に設けられた接続端子と、前記読み込み部側に設けられた接続端子との接続を介して行われることを特徴とする内視鏡装置。
【請求項６】
請求項２または請求項３に記載の内視鏡装置において、
前記光学アダプタから前記読み込み部への前記情報の読み込みが、前記光学アダプタ側に設けられたコイルと、前記読み込み部側に設けられたコイルとの共振周波数を読み取ることで行われることを特徴とする内視鏡装置。
【請求項７】
請求項２または請求項３に記載の内視鏡装置において、
前記光学アダプタから前記読み込み部への前記情報の読み込みが、前記光学アダプタ側に設けられた抵抗体の電気抵抗値を読み取ることで行われることを特徴とする内視鏡装置。
【請求項８】
請求項２または請求項３に記載の内視鏡装置において、
前記光学アダプタから前記読み込み部への前記情報の読み込みが、前記光学アダプタ側に形成された凹凸形状を読み取ることで行われることを特徴とする内視鏡装置。
【請求項９】
請求項２または請求項３に記載の内視鏡装置において、
前記光学アダプタから前記読み込み部への前記情報の読み込みが、前記光学アダプタから側に設けられた磁性体の磁束レベルを読み取ることで行われることを特徴とする内視鏡装置。
【手続補正２】
【補正対象書類名】明細書
【補正対象項目名】０００８
【補正方法】変更
【補正の内容】
【０００８】
【課題を解決するための手段】
本発明は、上記課題を解決するために以下の手段を採用した。
すなわち、請求項１に記載の光学アダプタは、内視鏡挿入部の先端に対して着脱可能に取り付けられ、前記先端に設けられた受光部に画像を結像させる光学系を備えた光学アダプタであり、自らを識別するための情報または光学特性情報の少なくとも一方の情報が備えられていることを特徴とする。
上記請求項１に記載の光学アダプタによれば、この光学アダプタを内視鏡挿入部の先端に取り付けたまま、これを識別するための情報または光学特性情報の少なくとも一方を読み取るように構成することができる。これにより、光学アダプタの識別を自動化させることができ、ユーザー自らが識別作業を行わずに済むようになる。
【手続補正３】
【補正対象書類名】明細書
【補正対象項目名】０１３８
【補正方法】変更
【補正の内容】
【０１３８】
【発明の効果】
本発明の請求項１に記載の光学アダプタは、自らを識別するための情報または光学特性情報の少なくとも一方の情報が備えられている構成を採用した。この構成によれば、光学アダプタの識別作業を、ユーザーの確認動作を要することなく自動化させることができるようになる。したがって、用いる光学アダプタを確実に識別してユーザーの誤操作を防ぐことが可能となる。
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  画面表示可能な表示手段を備えた遊技機であって、
画面表示を個々に識別するための画面識別情報を作成する識別情報作成手段、
を備え、
前記表示手段による所定の画面表示において前記識別情報作成手段により前記所定の画面表示について作成された画面識別情報を表示するように構成されたことを特徴とする遊技機。
【請求項２】  前記識別情報作成手段は、前記画面識別情報を文字等の並びとして作成することを特徴とする請求項１に記載の遊技機。
【請求項３】  前記識別情報作成手段は、前記画面識別情報を機械読み取り可能なシンボルとして作成することを特徴とする請求項１又は２に記載の遊技機。
【請求項４】  前記画面識別情報は、所定の規則に従って付与される固有情報を含んでいることを特徴とする請求項１乃至３のいずれかに記載の遊技機。
【請求項５】  外部から遊技者特定情報を入力するための遊技者特定情報入力手段を備え、
前記画面識別情報は、前記遊技者特定情報入力手段によって入力された前記遊技者特定情報を含んでいることを特徴とする手段１乃至４のいずれかに記載の遊技機。
【請求項６】  前記画面識別情報は、遊技機を識別するための遊技機識別情報を含んでいることを特徴とする請求項１乃至５のいずれかに記載の遊技機。
【請求項７】  前記所定の画面表示は、特定の遊技状態における演出画面表示であることを特徴とする請求項１乃至６のいずれかに記載の遊技機。
【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】眼部装着用器具と、該眼部装着用器具に配設されてその先端よりコヒーレント光を照射する発光素子を有した単数又は左右２個の治療用プローブを備え、かつ、該治療用プローブは、その先端が利用者の眼窩外上部の涙腺近傍に当接する位置に配設されることを特徴とする光治療器具。
【請求項２】前記発光素子が、該発光素子の光照射面に偏光板を配設した発光ダイオード素子であることを特徴とする請求項１に記載の光治療器具。
【請求項３】前記眼部装着用器具が、眼鏡型であることを特徴とする請求項１〜２のいずれか１項に記載の光治療器具。
【請求項４】前記治療用プローブが、前記眼部装着用器具に着脱可能に配設されたことを特徴とする請求項１〜３のいずれか１項に記載の光治療器具。
【請求項５】前記治療用プローブは、該治療用プローブ先端を利用者の涙腺近傍に当接させて涙腺近傍に光を照射するために、取り付け位置を調節可能に前記眼部装着用器具に配設されることを特徴とする請求項１〜４のいずれか１項に記載の光治療器具。
【請求項６】前記発光素子から照射される光線の波長帯が、４７０ｎｍから９３０ｎｍであることを特徴とする請求項１〜５のいずれか１項に記載の光治療器具。
【請求項７】前記発光素子から照射される光線の出力値が５ｍＷ以下であることを特徴とする請求項１〜６のいずれか１項に記載の光治療器具。
【手続補正書】
【提出日】平成17年11月28日(2005.11.28)
【手続補正１】
【補正対象書類名】明細書
【補正対象項目名】特許請求の範囲
【補正方法】変更
【補正の内容】
【特許請求の範囲】
【請求項１】  ソケットと、このソケットに先端側を差し込み可能かつ前記ソケットの両側を押圧することで解除可能なプラグとを備え、前記プラグは基端側に形成される基部と、基部から前記先端側に延びる少なくとも一対のロックアームと、前記ロックアームに形成されて前記ソケットと係合可能な係合部と、前記ロックアームに配置されて前記解除操作の際に押圧される押圧部とを有するバックルであって、
前記少なくとも一対のロックアームの中間部分を連結するブリッジを有することを特徴とするバックル。
【請求項２】  請求項１に記載したバックルにおいて、前記ブリッジは両端部が前記ロックアームに接続されるとともに、中央部が前記両端部よりも前記先端側に配置されていることを特徴とするバックル。
【請求項３】  請求項２に記載したバックルにおいて、前記ブリッジの両端部は前記押圧部よりも基端側寄りに配置され、前記ブリッジの中央部は前記押圧部よりも前記先端側寄りに配置されていることを特徴とするバックル。
【請求項４】  請求項２または請求項３に記載したバックルにおいて、前記ブリッジは前記中央部で屈曲した略Ｖ字型に形成されていることを特徴とするバックル。
【請求項５】  請求項４に記載したバックルにおいて、前記略Ｖ字型の中心角は９０度以下であることを特徴とするバックル。
【請求項６】  ソケットと、このソケットに先端側を差し込み可能かつ前記ソケットの両側を押圧することで解除可能なプラグとを備え、前記プラグは基端側に形成される基部と、基部から前記先端側に延びる少なくとも一対のロックアームと、前記ロックアームの間に配置された少なくとも１本のガイドバーと、前記ロックアームに形成されて前記ソケットと係合可能な係合部と、前記ロックアームに配置されて前記解除操作の際に押圧される押圧部とを有するバックルであって、
前記少なくとも一対のロックアームの中間部分を連結しかつ前記ガイドバーの先端を迂回するブリッジを有することを特徴とするバックル。
【請求項７】  請求項６に記載したバックルにおいて、前記ガイドバーの先端は前記ブリッジの両端部より前記先端側に配置され、前記ブリッジは前記中央部が前記ガイドバーの先端を迂回していることを特徴とするバックル。
【手続補正２】
【補正対象書類名】明細書
【補正対象項目名】００１５
【補正方法】変更
【補正の内容】
【００１５】
【課題を解決するための手段】
本発明のバックルは、ソケットと、このソケットに先端側を差し込み可能かつ前記ソケットの両側を押圧することで解除可能なプラグとを備え、前記プラグは基端側に形成される基部と、基部から前記先端側に延びる少なくとも一対のロックアームと、前記ロックアームに形成されて前記ソケットと係合可能な係合部と、前記ロックアームに配置されて前記解除操作の際に押圧される押圧部とを有するバックルであって、前記少なくとも一対のロックアームの中間部分を連結するブリッジを有することを特徴とする。
【手続補正３】
【補正対象書類名】明細書
【補正対象項目名】００１６
【補正方法】変更
【補正の内容】
【００１６】
このような本発明においては、ブリッジによりロックアームの過大な拡大が規制され、損傷を防止することができる。更に、ブリッジは少なくとも一対のロックアームを連結するため、従来のガードバーに接続する場合に比べて十分幅広い領域に設置することができ、このため解除操作した際の変形性を良好にでき、バックルを外す操作をより軽く行うことができる。
【手続補正４】
【補正対象書類名】明細書
【補正対象項目名】００１８
【補正方法】変更
【補正の内容】
【００１８】
本発明のバックルにおいて、前記ブリッジの両端部は前記押圧部よりも基端側寄りに配置され、前記ブリッジの中央部は前記押圧部よりも前記先端側寄りに配置されていることが望ましい。
このようにすれば、ブリッジが押圧部への解除操作による力を受ける領域に配置されることになり、操作の力を受け易く、操作をより軽くすることができる。
【手続補正５】
【補正対象書類名】明細書
【補正対象項目名】００２１
【補正方法】変更
【補正の内容】
【００２１】
本発明のバックルは、ソケットと、このソケットに先端側を差し込み可能かつ前記ソケットの両側を押圧することで解除可能なプラグとを備え、前記プラグは基端側に形成される基部と、基部から前記先端側に延びる少なくとも一対のロックアームと、前記ロックアームの間に配置された少なくとも１本のガイドバーと、前記ロックアームに形成されて前記ソケットと係合可能な係合部と、前記ロックアームに配置されて前記解除操作の際に押圧される押圧部とを有するバックルであって、前記少なくとも一対のロックアームの中間部分を連結しかつ前記ガイドバーの先端を迂回するブリッジを有することを特徴とする。
【手続補正６】
【補正対象書類名】明細書
【補正対象項目名】００２２
【補正方法】変更
【補正の内容】
【００２２】
このような本発明においても、ガイドバーがない場合と同様に、ブリッジによりロックアームの過大な拡大が規制され、損傷を防止することができる。更に、ブリッジは少なくとも一対のロックアームを連結するため、従来のガードバーに接続する場合に比べて十分幅広い領域に設置することができ、このため解除操作した際の変形性を良好にでき、バックルを外す操作をより軽く行うことができる。
【手続補正書】
【提出日】平成18年2月17日(2006.2.17)
【手続補正１】
【補正対象書類名】明細書
【補正対象項目名】特許請求の範囲
【補正方法】変更
【補正の内容】
【特許請求の範囲】
【請求項１】  被開閉物と、
前記被開閉物を水圧によって開閉する水圧駆動機構と、
所定の物理量を感知するセンサと、
前記センサによって測定した物理量が所定の変化をしたときに前記被開閉物を開閉するように前記水圧駆動機構を制御する制御手段と、を具備することを特徴とする水圧による被開閉物駆動装置。
【請求項２】  前記水圧は、水道水圧であることを特徴とする請求項１に記載の水圧による被開閉物駆動装置。
【請求項３】  前記センサは、明るさを感知する光センサ、又は温度を感知する温度センサ、又は臭いを感知する臭いセンサ、又は重量を感知する重量センサ、又は湿度を感知する湿度センサであることを特徴とする請求項１又は２に記載の水圧による被開閉物駆動装置。
【請求項４】  前記水圧駆動機構の排水側に、排水の水質を変換する水質変換装置を備えたことを特徴とする請求項１又は２又は３に記載の水圧による被開閉物駆動装置。
【請求項５】  請求項１又は２又は３又は４に記載の水圧による被開閉物駆動装置を建築物又は建築物の周辺に設置するとともに、前記水圧による被開閉物駆動装置によって水圧を利用した後の水道水を、さらに建築物又は建築物の周辺の施設に供給することを特徴とする水利用設備。
【手続補正２】
【補正対象書類名】明細書
【補正対象項目名】０００９
【補正方法】変更
【補正の内容】
【０００９】
【課題を解決するための手段】
本願の請求項１に記載の発明は、被開閉物と、前記被開閉物を水圧によって開閉する水圧駆動機構と、所定の物理量を感知するセンサと、前記センサによって測定した物理量が所定の変化をしたときに前記被開閉物を開閉するように前記水圧駆動機構を制御する制御手段と、を具備することを特徴とする水圧による被開閉物駆動装置である。また本願の請求項２に記載の発明は、前記水圧は、水道水圧であることを特徴とする請求項１に記載の水圧による被開閉物駆動装置である。
即ち、水道水圧を駆動源として利用すれば、軽量な被開閉物であれば比較的容易に且つ安価な水圧駆動機構によってこれを動作させることが可能となり、その場合外部からエネルギーを供給する必要もない。また環境に優しい水道水の有する水圧を駆動源とするため、気になる動作音や、漏洩による汚染、事故等の問題も生じない。水道水圧によって駆動できる軽量な被開閉物としては、遮光器具であるカーテンやブラインド等が好適である。
【手続補正３】
【補正対象書類名】明細書
【補正対象項目名】００１０
【補正方法】変更
【補正の内容】
【００１０】
本願の請求項３に記載の発明は、前記センサは、明るさを感知する光センサ、又は温度を感知する温度センサ、又は臭いを感知する臭いセンサ、又は重量を感知する重量センサ、又は湿度を感知する湿度センサであることを特徴とする請求項１又は２に記載の水圧による被開閉物駆動装置である。
センサとして光センサを用いれば、光センサで明るさを感知し、明るさに応じて被開閉物を自動開閉させることによって、室内の調光が図れて日常の快適性が得られるばかりか、留守であっても在宅しているように見せることが可能であり、防犯効果が期待できる。
【手続補正４】
【補正対象書類名】明細書
【補正対象項目名】００１１
【補正方法】変更
【補正の内容】
【００１１】
本願の請求項４に記載の発明は、前記水圧駆動機構の排水側に、排水の水質を変換する水質変換装置を備えたことを特徴とする請求項１又は２又は３に記載の水圧による被開閉物駆動装置である。
排水の水質の変換は、濾過や消毒などによって行う。これによって被開閉物の駆動に使用した水は、例えば風呂水として使用でき、その排水をさらに洗濯やトイレの洗浄に用いれば、水の多段階利用が達成され、水資源を有効に活用できる。
【手続補正５】
【補正対象書類名】明細書
【補正対象項目名】００１２
【補正方法】変更
【補正の内容】
【００１２】
本願の請求項５に記載の発明は、請求項１又は２又は３又は４に記載の水圧による被開閉物駆動装置を建築物又は建築物の周辺に設置するとともに、前記水圧による被開閉物駆動装置によって水圧を利用した後の水道水を、さらに建築物又は建築物の周辺の施設に供給することを特徴とする水利用設備である。
このように被開閉物を駆動する水圧駆動機構とセンサとを組み合わせ、更には水質変換装置を組み合わせた水利用設備によって、水道水が所有する水圧等のエネルギーの有効利用、住居等の建築物の快適性及び安全性の向上、環境負荷の低減が実現できる。
【手続補正書】
【提出日】平成18年4月14日(2006.4.14)
【手続補正１】
【補正対象書類名】明細書
【補正対象項目名】請求項３
【補正方法】変更
【補正の内容】
【請求項３】前記バイブレータがモータとこの回転軸に取り付けた偏心重錘とから成るものである、請求項１または請求項２に記載の性感帯刺激具。
【手続補正２】
【補正対象書類名】明細書
【補正対象項目名】請求項４
【補正方法】変更
【補正の内容】
【請求項４】前記バイブレータの電源部が別体として設けられ本体に配線されて成る、請求項３に記載の性感帯刺激具。
【手続補正３】
【補正対象書類名】明細書
【補正対象項目名】００１１
【補正方法】変更
【補正の内容】
【００１１】請求項１の構成に於いてもまた請求項２の構成に於いても、前記バイブレータが、モータとこの回転軸に取り付けられた偏心重錘とから成るものとすることができる。
【手続補正４】
【補正対象書類名】明細書
【補正対象項目名】００１３
【補正方法】変更
【補正の内容】
【００１３】なお、請求項３の構成に於いて、前記バイブレータの電源部が別体として設けられ本体に配線されて成るものとすることができる。
【手続補正書】
【提出日】平成18年4月17日(2006.4.17)
【手続補正１】
【補正対象書類名】明細書
【補正対象項目名】特許請求の範囲
【補正方法】変更
【補正の内容】
【特許請求の範囲】
【請求項１】  
携帯電話ユニットと、
該携帯電話ユニットに配設された第１の無線交信手段と、
前記携帯電話ユニットと独立して構成され、マイク、スピーカ及びカメラのいずれか少なくとも一つが配設されたアダプタと、
該アダプタに配設され、前記マイク、スピーカ及びカメラと接続され、かつ前記第１の無線交信手段と無線交信の可能な第２の無線交信手段とを備えたことを特徴とする携帯通話装置。
【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】
先端に開口孔を備える先筒と、
前記先筒と回動可能に連結される基筒と、
前記先筒及び前記基筒に内挿された芯チャック部材と、
前記先筒と前記基筒との相対回転によって、前記芯チャック部材の先端に連結された棒状化粧材を前記先筒の先端開口孔より進退させる繰出機構と、
を備える棒状化粧材繰出容器であって、
前記芯チャック部材は、
単体で構成され、
先端に形成され前記棒状化粧材を保持する保持部と、
この保持部に延設された軸部のいずれかに形成され、化粧を施す際に棒状化粧材にかかる圧力によって軸方向に弾性を有して伸縮するサスペンション部と、
を備えることを特徴とする棒状化粧材繰出容器。
【請求項２】
前記軸部に螺旋帯を形成して、前記サスペンション部としたことを特徴とする請求項１記載の棒状化粧材繰出容器。
【請求項３】
前記芯チャック部材の前記軸部後部に当たる円筒体に、螺旋帯又は鍵状スリットを形成して、前記サスペンション部としたことを特徴とする、請求項１記載の棒状化粧材繰出容器。
【請求項４】
前記円筒体は前記軸部よりも大径に形成され、
前記円筒体は、前記棒状化粧材の前進時、端部が前記先筒に当接することによって、繰出上昇限を決定することを特徴とする請求項３に記載の棒状化粧材繰出容器。
【手続補正２】
【補正対象書類名】明細書
【補正対象項目名】０００６
【補正方法】変更
【補正の内容】
【０００６】
【課題を解決するための手段】
そのため、本発明の棒状化粧材繰出容器においては、先端に開口孔を備える先筒と、前記先筒と回動可能に連結される基筒と、前記先筒及び前記基筒に内挿された芯チャック部材と、前記先筒と前記基筒との相対回転によって、前記芯チャック部材の先端に連結された棒状化粧材を前記先筒の先端開口孔より進退させる繰出機構と、を備える棒状化粧材繰出容器であって、前記芯チャック部材は、単体で構成され、先端に形成され前記棒状化粧材を保持する保持部と、この保持部に延設された軸部のいずれかに形成され、化粧を施す際に棒状化粧材にかかる圧力によって軸方向に弾性を有して伸縮するサスペンション部とを備えるものである。
【手続補正３】
【補正対象書類名】明細書
【補正対象項目名】０００７
【補正方法】変更
【補正の内容】
【０００７】
第２の発明においては、前記軸部に螺旋帯を形成して、前記サスペンション部としたものである。
【手続補正４】
【補正対象書類名】明細書
【補正対象項目名】０００８
【補正方法】変更
【補正の内容】
【０００８】
第３の発明においては、前記芯チャック部材の前記軸部後部に当たる円筒体に、螺旋帯又は鍵状スリットを形成して、前記サスペンション部としたものである。
第４の発明においては、前記円筒体は前記軸部よりも大径に形成され、前記円筒体は、前記棒状化粧材の前進時、端部が前記先筒に当接することによって、繰出上昇限を決定する。
【手続補正５】
【補正対象書類名】明細書
【補正対象項目名】００１２
【補正方法】変更
【補正の内容】
【００１２】
第３の発明では、芯チャック部材の後部の円筒体に螺旋帯又は鍵状スリットを設けて、サスペンションとしたことで、本来の目的であるサスペンション効果とともに、後退限における更なる後退する回動負荷に対し、円筒体に形成した係合突起が雌ねじをクラッチ回転する際に生じる振動を緩和して棒軸部に伝達するので、保持部より棒状化粧材が振動で抜け出すことがなくなる効果を併せ持つ。
【手続補正６】
【補正対象書類名】明細書
【補正対象項目名】００２４
【補正方法】変更
【補正の内容】
【００２４】
棒状化粧材繰出容器１は、図３に示すように、芯チャック部材３０の円筒体３５ｂの円筒体前端部３５ｂ’が先筒１０の先筒後端部１４に当接することで、繰出の上昇限を決定している。
【手続補正７】
【補正対象書類名】明細書
【補正対象項目名】００３４
【補正方法】変更
【補正の内容】
【００３４】
本発明は、第１の実施の形態及び第２の実施の形態の繰出機構に限定されるものではなく、先筒と基筒の回転操作で、内挿される芯チャック部材の先端に連結された棒状化粧材を、前記先筒の先端開口孔より進退させる繰出機構を備える棒状化粧材繰出容器であれば、本発明の範疇に属するものである。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】
【請求項１】  血圧計用カフを、生体に固定するために用いられる血圧計用カフ固定具であって、
生体に巻き付けられるベルト部材と、
前記ベルト部材に連結され、前記ベルト部材とともに当該血圧計用カフ固定具の生体への巻付長さを調節するための巻付長さ調節手段とを備え、
前記巻付長さ調節手段は、
生体に対して血圧を測定するための第１巻付長さに当該血圧計用カフ固定具を調節する測定時巻付長さ状態と、
血圧の非測定状態において、生体に対する装着状態を維持させるため、前記第１巻付長さよりも長い第２巻付長さに当該血圧計用カフ固定具を調節する非測定時巻付長さ状態と、
当該血圧計用カフ固定具を生体に装着および脱着可能とする装着脱着長さ状態と、
の３状態が選択可能に設けられ、
さらに、前記巻付長さ調節手段は、
本体部と、前記本体部に対してスライド可能に設けられるスライド部とを有し、
前記装着脱着長さ状態において、前記スライド部は付勢力により前記本体部に収容されるように設けられ、
前記スライド部を前記本体部に収容する方向にスライドさせることにより、前記測定時巻付長さ状態が得られ、
前記スライド部を前記本体部から放出する方向にスライドさせることにより、前記非測定時巻付長さ状態が得られる、血圧計用カフ固定具。
【請求項２】  前記巻付長さ調節手段は、前記本体部と前記スライド部との間に、前記測定時巻付長さ状態および前記非測定時巻付長さ状態を選択的に固定するための第１固定機構を有する、請求項１に記載の血圧計用カフ固定具。
【請求項３】  前記本体部は、
第１本体部と、
前記第１本体部の他端側において、前記第１本体部に対して折畳まれるように回動可能に設けられる第２本体部と、
前記第２本体部の前記第１本体部が設けられる側とは反対側において、前記第２本体部に対して折畳まれるように回動可能に設けられる第３本体部と、を有し、
前記第１本体部、前記第２本体部、および前記第３本体部が重ね合わせられるように折畳むことにより前記測定時巻付長さ状態および前記非測定時巻付長さ状態が得られ、
前記第１本体部、前記第２本体部、および前記第３本体部の折畳み状態を解放することにより前記装着脱着状態が得られる、請求項１または２に記載の血圧計用カフ固定具。
【請求項４】  前記第１本体部と前記第３本体部との間に、前記測定時巻付長さ状態および前記非測定時巻付長さ状態を固定するための第２固定機構が設けられる、請求項３に記載の血圧計用カフ固定具。
【手続補正２】
【補正対象書類名】明細書
【補正対象項目名】００１３
【補正方法】変更
【補正の内容】
【００１３】
上記発明の好ましい形態として、上記巻付長さ調節手段は、本体部と、上記本体部に対してスライド可能に設けられるスライド部とを有し、上記装着脱着長さ状態において、上記スライド部は付勢力により上記本体部に収容されるように設けられ、上記スライド部を上記本体部に収容する方向にスライドさせることにより、上記測定時巻付長さ状態が得られ、上記スライド部を上記本体部から放出する方向にスライドさせることにより、上記非測定時巻付長さ状態が得られる。